(57)【要約】【課題】  習慣となっている日常的な行動をユーザが物忘れしてしまったとしても、その行動内容を思い出させるきっかけをユーザに与えることで、ユーザの精神的負担の軽減化を図る。【解決手段】  この生活補助装置には、行動パターンが入力される行動パターン入力部と、入力された行動パターン及び入力時間を一組として複数組記憶する記憶部と、行動パターン及び入力時間の何れか１つに関連するキーワードが音声により入力される音声入力部とが備えられている。また、生活補助装置には、音声入力部から入力された音声を解析しキーワードを認識する音声認識部と、記憶部内の行動パターンを音声として合成する音声合成部と、合成された音声を出力する音声出力部と、認識したキーワードに対応する行動パターンを、記憶部内の複数の行動パターンから選択して、当該選択された行動パターンを基に音声合成部を制御して、音声として合成する制御部とが備えられている。【選択図】図１
2007213315.tif 000002
【特許請求の範囲】
【請求項１】
行動パターンが入力される行動パターン入力部と、
前記行動パターン入力部に入力された前記行動パターン及び当該行動パターンの入力時間を一組として複数組記憶する記憶部と、
前記行動パターン及び前記入力時間の何れか１つに関連するキーワードが音声により入力される音声入力部と、
前記音声入力部から入力された音声を解析し、前記キーワードを認識する音声認識部と、
前記記憶部内の前記行動パターンを音声として合成する音声合成部と、
前記音声合成部で合成された音声を出力する音声出力部と、
前記音声認識部で認識した前記キーワードに対応する前記行動パターンを、前記記憶部内の複数の前記行動パターンから選択して、当該選択された行動パターンを基に前記音声合成部を制御して、音声として合成する制御部とを備えることを特徴とする生活補助装置。
【請求項２】
請求項１記載の生活補助装置において、
前記制御部は、前記行動パターンの入力時間になると、前記入力時間と組となる前記記憶部内の前記行動パターンを基に前記音声合成部を制御して、音声として合成することを特徴とする生活補助装置。
【請求項３】
行動パターンが入力される行動パターン入力工程と、
前記行動パターン入力工程で入力された前記行動パターンを複数記憶する記憶工程と、
前記行動パターンに関連するキーワードが音声により入力される音声入力工程と、
前記音声入力工程で入力された音声を解析し、前記キーワードを認識する音声認識工程と、
前記音声認識工程で認識した前記キーワードに対応する前記行動パターンを、前記記憶工程で記憶された複数の前記行動パターンから選択する選択工程と、
前記選択工程で選択された前記行動パターンを音声として合成する音声合成工程と、
前記音声合成工程で合成された音声を出力する音声出力工程と、を有することを特徴とする生活補助方法。
【請求項４】
行動パターンが入力される行動パターン入力ステップと、
前記行動パターン入力ステップで入力された前記行動パターンを複数記憶する記憶ステップと、
前記行動パターンに関連するキーワードが音声により入力される音声入力ステップと、
前記音声入力ステップで入力された音声を解析し、前記キーワードを認識する音声認識ステップと、
前記音声認識ステップで認識した前記キーワードに対応する前記行動パターンを、前記記憶ステップで記憶された複数の前記行動パターンから選択する選択ステップと、
前記選択ステップで選択された前記行動パターンを音声として合成する音声合成ステップと、
前記音声合成ステップで合成された音声を出力する音声出力ステップと、を有することを特徴とするプログラム。
【発明の詳細な説明】
【技術分野】
【０００１】
本発明は、生活補助装置、生活補助方法及びプログラムに関する。
【背景技術】
【０００２】
近年、ユーザの日常生活に異常があった場合、その異常を検知して監視者に通知する生活行動パターンの異常判定システムが開発されている（例えば、特許文献１参照）。これにより、一人暮らしの老人が何らかのアクシデントで倒れたとしても、その異常が監視者に通知されるために、迅速に対処することが可能となっている。
【特許文献１】特開２００５−１７３６６８号公報
【発明の開示】
【発明が解決しようとする課題】
【０００３】
しかしながら、上記のシステムは、異常が起きた場合に監視者に通知するものであるが、ユーザ自身が物忘れによって習慣となっている行動を忘れてしまい、思い出そうとしても、それを補助することは困難であった。
【０００４】
本発明の課題は、習慣となっている日常的な行動をユーザが物忘れしてしまったとしても、その行動内容を思い出させるきっかけをユーザに与えることで、ユーザの精神的負担の軽減化を図ることである。
【課題を解決するための手段】
【０００５】
請求項１記載の発明における生活補助装置は、
行動パターンが入力される行動パターン入力部と、
前記行動パターン入力部に入力された前記行動パターン及び当該行動パターンの入力時間を一組として複数組記憶する記憶部と、
前記行動パターン及び前記入力時間の何れか１つに関連するキーワードが音声により入力される音声入力部と、
前記音声入力部から入力された音声を解析し、前記キーワードを認識する音声認識部と、
前記記憶部内の前記行動パターンを音声として合成する音声合成部と、
前記音声合成部で合成された音声を出力する音声出力部と、
前記音声認識部で認識した前記キーワードに対応する前記行動パターンを、前記記憶部内の複数の前記行動パターンから選択して、当該選択された行動パターンを基に前記音声合成部を制御して、音声として合成する制御部とを備えることを特徴としている。
【０００６】
請求項２記載の発明は、請求項１記載の生活補助装置において、
前記制御部は、前記行動パターンの入力時間になると、前記入力時間と組となる前記記憶部内の前記行動パターンを基に前記音声合成部を制御して、音声として合成することを特徴としている。
【０００７】
請求項３記載の発明における生活補助方法は、
行動パターンが入力される行動パターン入力工程と、
前記行動パターン入力工程で入力された前記行動パターンを複数記憶する記憶工程と、
前記行動パターンに関連するキーワードが音声により入力される音声入力工程と、
前記音声入力工程で入力された音声を解析し、前記キーワードを認識する音声認識工程と、
前記音声認識工程で認識した前記キーワードに対応する前記行動パターンを、前記記憶工程で記憶された複数の前記行動パターンから選択する選択工程と、
前記選択工程で選択された前記行動パターンを音声として合成する音声合成工程と、
前記音声合成工程で合成された音声を出力する音声出力工程と、を有することを特徴としている。
【０００８】
請求項４記載の発明におけるプログラムは、
行動パターンが入力される行動パターン入力ステップと、
前記行動パターン入力ステップで入力された前記行動パターンを複数記憶する記憶ステップと、
前記行動パターンに関連するキーワードが音声により入力される音声入力ステップと、
前記音声入力ステップで入力された音声を解析し、前記キーワードを認識する音声認識ステップと、
前記音声認識ステップで認識した前記キーワードに対応する前記行動パターンを、前記記憶ステップで記憶された複数の前記行動パターンから選択する選択ステップと、
前記選択ステップで選択された前記行動パターンを音声として合成する音声合成ステップと、
前記音声合成ステップで合成された音声を出力する音声出力ステップと、を有することを特徴としている。
【発明の効果】
【０００９】
本発明によれば、行動パターン及び入力時間の何れか１つに関連するキーワードが音声により音声入力部に入力されると、その音声を音声認識部が解析し、キーワードを認識する。そして、制御部は、音声認識部で認識したキーワードに対応する行動パターンを、記憶部内の複数の行動パターンから選択して、当該選択された行動パターンを基に音声合成部を制御して、音声として合成する。これにより、キーワードに対応する行動パターンが音声出力部から出力されるので、ユーザが日常的な行動を物忘れしてしまったとしても、その行動内容を思い出させるきっかけを与えることができ、ユーザの精神的負担を軽減することができる。
【００１０】
また、行動パターンの入力時間になると、入力時間と組となる記憶部内の行動パターンを基に音声合成部が音声として合成するので、行動パターンが入力された時刻になると行動パターンが音声出力部から出力されることになる。これにより、ユーザからのキーワード入力がなくとも、ユーザに行動パターンを報知することができる。
【発明を実施するための最良の形態】
【００１１】
以下、図面を参照しつつ、本発明の実施形態について説明する。図１は、本実施形態の生活補助装置１の全体構成を示すブロック図である。この図１に示すように、生活補助装置１には、音声入力部２と、音声認識部３と、切替スイッチ４と、記憶部５と、音声合成部６と、音声出力部７と、制御部８とが備えられている。
【００１２】
音声入力部２は、例えばマイク等から構成されており、ユーザからの発言内容が入力されるようになっている。
音声認識部３は、音声入力部２に入力された発言内容を認識するためのものである。具体的には、音声認識部３は音声入力部２からの発言内容の音声波形を取得することで、発言内容を認識するようになっている。音声認識部３には、単語と、当該単語の音声波形と、用途とを関連付けて記憶するデータベース３１が設けられている。そして、音声認識部３は、取得した音声波形（以下、取得波形）と、データベース３１中の各単語の音声波形とを照合して、取得波形に近似な波形を有する単語を抽出する。この際、取得波形に近似な波形の単語が１つ以上抽出されることもあるが、その場合最も近似な波形の単語が取得波形に適合すると判断するようになっている。
【００１３】
切替スイッチ４は、ユーザからの発言内容が質問を示しているか、行動パターンを示しているかを切り替えるためのものである。例えば、ユーザが質問を入力する場合にはユーザ自身が切替スイッチ４を操作して質問入力モードに切り替え、行動パターンを入力する場合にはユーザ自身が切替スイッチ４を操作して、行動パターン入力モードに切り替える。この切替スイッチ４での切替指示は、制御部８に入力されるので、音声認識部３で認識された発言内容が、質問を示すものであるか、行動パターンを示すものであるかを制御部８側で判断できるようになっている。
【００１４】
記憶部５は、音声認識部３で認識された発言内容が行動パターン入力モードで入力されたものであると制御部８が判断した単語、音声波形及び用途を、行動パターンとして記憶する。この際、記憶部５には、制御部８から発言内容の入力時間が入力されているために、行動パターンと入力時間とを一組として記憶するようになっている。行動パターンが複数入力されている場合においては、記憶部５は行動パターンと当該行動パターンの入力時間とを複数組記憶するようになっている。
【００１５】
具体的に記憶内容について図２及び図３を参照にして説明する。図２及び図３は、記憶部５に記憶される行動パターンの一覧表の一例を表す説明図である。
図２に示す一覧表Ｈ１であると、毎日７時から「朝食後に服薬」という行動が、１８時からは「夕食後に服薬」という行動が設定されている。また、月曜日、火曜日、木曜日、金曜日の１０時には「散歩」という行動が設定されていて、水曜日の１０時には「通院」という行動が設定されている。
この図２の一覧表Ｈ１に対して、新たに毎日１６時から「犬の散歩」という行動が追加されると、図３に示すような一覧表Ｈ２が形成されて、記憶部５に記憶されることになる。
【００１６】
音声合成部６は、記憶部５に記憶された行動パターンとしての音声波形を読み出して、合成することで返答内容全体の音声波形を作成する。
音声出力部７は、例えばスピーカーから構成されるものであり、音声合成部６で作成された返答内容全体の音声波形を基に、返答内容を音声で出力するようになっている。
【００１７】
制御部８は、切替スイッチ４が行動パターン入力モードを切替指示している場合には、音声認識部３で認識された発言内容に基づく単語、音声波形及び用途を、行動パターンとして記憶部５に記憶させる。一方、切替スイッチ４が質問入力モードを切替指示している場合には、制御部８は、音声認識部３で認識された発言内容をキーワードとして認識する。その後、制御部８は、キーワードに対応する行動パターンを、記憶部５内の複数の行動パターンから選択して、当該選択された行動パターンの音声波形を基に音声合成部６を制御して、音声として合成するようになっている。
【００１８】
ここで、キーワードに対応する行動パターンを選択する際には、質問入力モードで入力されて、音声認識部３で認識されたキーワードの単語、音声波形、用途のうち、用途に関連した用途を有する行動パターンを記憶部５中の複数の行動パターンから選択する。
【００１９】
以下、キーワードの用途に関連した用途を有する行動パターンについて説明する。
例えば「１７時にどこ？」という質問が入力されたとすると、「１７時」の用途は「時報」であり、「どこ？」の用途は「場所に関する質問」となる。制御部８は、「時報」を用途とする単語に対しては、その時刻付近に設定された行動パターンが制御部８により抽出されることになる。その後、制御部８は、抽出された行動パターンの用途が、例えば「行き先」、「置き場所」などの「場所」に関連するものであれば、その行動パターンがキーワードに対応していると判断して、選択する。
【００２０】
これ以外にも、質問内容に「時報」の用途を有すキーワードがなかった場合には、制御部８は、その質問が入力された時刻及び質問内容の用途を基にして、キーワードに対応する行動パターンを選択する。具体的には、「時報」の用途を有すキーワードのない質問内容として、例えば「どこ行くんだっけ？」等が入力されたとすると、「どこ行く」の用途である「行き先」に関連する用途を有する行動パターンが制御部８により選択されることになる。
【００２１】
次に、本実施形態の生活補助装置１で実行されるプログラムについて説明する。このプログラムが実行されることで本実施形態の対話方法が生活補助装置１で実現されるようになっている。
【００２２】
図４は、生活補助装置１で実行されるプログラムのフローチャートである。この図４に示すように、まず、ステップＳ１では、制御部８は、切替スイッチ４からの指示が、行動パターン入力モードへの切替指示か、質問入力モードへの切替指示かを判断していて、行動パターン入力モードへの切替指示である場合にはステップＳ２に移行し、質問入力モードへの切替指示である場合にはステップＳ１０に移行する。
【００２３】
ステップＳ２では、制御部８は、切替スイッチ４からの指示が、質問入力モードへの切替指示に切り替わったか否かを判断していて、切り替わった場合にはステップＳ１０に移行して、切り替わっていない場合にはステップＳ３に移行する。
【００２４】
ステップＳ３では、制御部８は、行動パターンが音声として音声入力部２に入力されたか否かを判断し、入力された場合には、ステップＳ４に移行して、入力されていない場合にはステップＳ２に移行する。
ステップＳ４では、音声入力部２から入力された音声を、音声認識部３により行動パターンとして認識する（行動パターン入力工程、行動パターン入力ステップ）。
ステップＳ５では、制御部８は、音声認識部３で認識された行動パターンと当該行動パターンの入力時間とを一組として、記憶部５に記憶させて、ステップＳ２に移行する（記憶工程、記憶ステップ）。
【００２５】
ステップＳ１０では、制御部８は、切替スイッチ４からの指示が、行動パターン入力モードへの切替指示に切り替わったか否かを判断していて、切り替わった場合にはステップＳ２に移行して、切り替わっていない場合にはステップＳ１１に移行する。
【００２６】
ステップＳ１１では、制御部８は、行動パターンに関連したキーワードが音声として音声入力部２に入力されたか否かを判断し、入力された場合（音声入力工程、音声入力ステップ）には、ステップＳ１２に移行して、入力されていない場合にはステップＳ１０に移行する。
【００２７】
ステップＳ１２では、制御部８は、音声入力部２から入力された音声を、音声認識部３によりキーワードとして認識する（音声認識工程、音声認識ステップ）。
ステップＳ１３では、制御部８は、音声認識部３で認識されたキーワードに対応する行動パターンが、記憶部５内の複数の行動パターン内に存在しているかどうかを判断し、ある場合にはステップＳ１４に移行して、ない場合にはステップＳ２０に移行する。
【００２８】
ステップＳ１４では、制御部８は、記憶部５内のキーワードに対応する行動パターンを選択する（選択工程、選択ステップ）。
ステップＳ１５では、制御部８は、選択した行動パターンを基に音声合成部６を制御して、音声として合成し（音声合成工程、音声合成ステップ）、ステップＳ１６に移行する。
【００２９】
ステップＳ２０では、制御部８は、キーワードに対応する行動パターンがない旨を、音声合成部６を制御して音声として合成し、ステップＳ１６に移行する。
【００３０】
ステップＳ１６では、制御部８は、合成された音声を、音声出力部７から出力させて（音声出力工程、音声出力ステップ）、ステップＳ１に移行する。
【００３１】
以上のように本実施形態によれば、行動パターン及び入力時間の何れか１つに関連するキーワードが音声により音声入力部２に入力されると、その音声を音声認識部３が解析し、キーワードを認識する。そして、制御部８は、音声認識部３で認識したキーワードに対応する行動パターンを、記憶部５内の複数の行動パターンから選択して、当該選択された行動パターンを基に音声合成部６を制御して、音声として合成する。これにより、キーワードに対応する行動パターンが音声出力部７から出力されるので、ユーザが日常的な行動を物忘れしてしまったとしても、その行動内容を思い出させるきっかけを与えることができ、ユーザの精神的負担を軽減することができる。
【００３２】
なお、本発明は上記実施形態に限らず適宜変更可能であるのは勿論である。
例えば、本実施形態では、音声入力部２及び音声認識部３が本発明の行動パターン入力部を兼ねる場合について説明したが、行動パターン入力部専用の音声入力部及び音声認識部を設ける構成であってもよい。また、これ以外にも行動パターンが入力されるものであれば、音声入力以外の入力形式のものであってもかまわない。例えば、行動パターンの種類によっては行動実行時に関連して物を動作させる場合がある。この動作させられる物に対してセンサを配置し、そのセンサによって動作の有無を検出させて、制御部８に出力させることで行動パターンとして認識させることも可能である。具体的には、服薬という行動パターンを入力する場合においては、薬箱にセンサを配置して、このセンサによって薬箱の開閉を検出し、制御部８に検出結果を出力させることで、服薬という行動パターンを認識させることができる。
【００３３】
この他にも、例えば、行動パターンの種類によっては行動実行時にユーザがどこかに移動する場合がある。この場合には、ユーザ自身にＧＰＳ端末を携帯させて、ＧＰＳ端末と制御部８とを通信可能とすることで、その移動先を制御部８に認識させることも可能である。具体的には、通院という行動パターンを入力する場合においては、ＧＰＳ端末から入力された病院の位置情報から、制御部８に通院という行動パターンを認識させることができる。
【００３４】
また、本実施形態ではキーワードが入力されると、制御部８の制御により当該キーワードに対応する行動パターンが音声出力される場合を例示して説明したが、制御部は、行動パターンの入力時間になると、入力時間と組となる記憶部５内の行動パターンを基に音声合成部６を制御して、音声として合成するようにしてもよい。このように、行動パターンの入力時間になると、入力時間と組となる記憶部５内の行動パターンを基に音声合成部６が音声として合成するので、行動パターンが入力された時刻になると行動パターンが音声出力部７から出力されることになる。したがって、ユーザからのキーワード入力がなくとも、ユーザに行動パターンを報知することができる。
そして、本実施形態においては、上記したように習慣となっている日常行動以外にも、スケジュール管理や、ＴＶ・ラジオの番組視聴管理等に用いることも可能である。
【図面の簡単な説明】
【００３５】
【図１】本実施形態に係る生活補助装置の概略構成を表すブロック図である。
【図２】図１の生活補助装置の記憶部に記憶される行動パターンの一覧表の一例を表す説明図である。
【図３】図１の生活補助装置の記憶部に記憶される行動パターンの一覧表の一例を表す説明図である。
【図４】図１の生活補助装置で実行されるプログラムのフローチャトである。
【符号の説明】
【００３６】
１      生活補助装置
２      音声入力部（行動パターン入力部）
３      音声認識部（行動パターン入力部）
４      切替スイッチ
５      記憶部
６      音声合成部
７      音声出力部
８      制御部
３１      データベース
【図１】
2007213315.tif 000003
【図２】
2007213315.tif 000004
【図３】
2007213315.tif 000005
【図４】
2007213315.tif 000006